(57)【特許請求の範囲】
【請求項１】
内部に送風手段を、下面に吹出ノズルを有する本体ケースと、前記本体ケースの下方に配設され、前記本体ケースとの間に手挿入空間を形成する水受けとを備え、前記本体ケースを配置した状態で、前記水受けを前記本体ケースと着脱自在とした手乾燥装置であって、前記水受けを、下部前面を覆う受け部と、前記受け部と連接して壁面側を覆う背面部と、前記受け部と連接して前記背面部の両側から立ち上がりを形成する一対の側面部とから構成し、前記一対の側面部の上部に水受け側係止部をそれぞれ設け、前記本体ケースの両側部に本体ケース側係止部をそれぞれ設け、前記水受け側係止部と前記本体ケース側係止部とによって前記水受けを前記本体ケースに取り付け、それぞれの前記水受けの側面部の内側面に設けられ、前記水受け側係止部と連接した凸部を有する係止解除手段の前記凸部を押圧して、前記水受け側係止部と前記本体ケース側係止部との係止を解除させることを特徴とする手乾燥装置。
【請求項２】
前記水受けを構成する一対の前記側面部の上部にそれぞれ水受け側接続部を設け、前記本体ケースの両側部にそれぞれ本体ケース側接続部を設け、前記水受け側接続部と前記本体ケース側接続部とによって、前記水受けを前記本体ケースに対して上下方向にスライド可能なガイダーを構成することを特徴とするクレーム１に記載の手乾燥装置。
【請求項３】
前記水受けを構成する前記背面部の上部中央に、前記本体ケースとの連結を行う水受け固定ねじを設けたことを特徴とするクレーム１に記載の手乾燥装置。
【請求項４】
前記水受けの下部に水受けカップを着脱可能に設けたことを特徴とするクレーム１に記載の手乾燥装置。
【請求項５】
内部に送風手段を、下面に吹出ノズルを有する本体ケースと、前記本体ケースの下方に配設され、前記本体ケースとの間に手挿入空間を形成する水受けとを備え、前記本体ケースを設置した状態で、前記水受けを前記本体ケースと着脱自在とした手乾燥装置であって、前記水受けの下部に水受けカップを設け、前記水受けの裏底のほぼ中央に、前後方向に延びる逆Ｔ字型のレールを設け、前記水受けカップの上面に、後部から切り欠いたガイド溝を設けたことを特徴とする手乾燥装置。
【請求項６】
前記送風手段に電気を供給する電源コードを収納する箱状収納部を、前記本体ケースの裏側に開口させて設けたことを特徴とするクレーム１に記載の手乾燥装置。
【請求項７】
前記本体ケースの下面に、前記送風手段の吸引によって前記手挿入空間の空気を吸い込む吸い込み口を設け、前記吸い込み口から前記送風手段に至る通風路に水抜き穴を設け、前記水抜き穴は前記水受けの上方に位置することを特徴とするクレーム１に記載の手乾燥装置。
【請求項８】
内部に送風手段を、下面に吹出ノズルを有する本体ケースと、前記本体ケースの下方に配設され、前記本体ケースとの間に手挿入空間を形成する水受けとを備え、前記本体ケースを配置した状態で、前記水受けを前記本体ケースと着脱自在とした手乾燥装置であって、前記送風手段は表示基板を備えた送風ケースを有し、前記表示基板には発光ダイオードを設け、前記本体ケースには前記発光ダイオードを視認可能な表示穴を設け、前記発光ダイオードの周囲にはＬＥＤ保持部を設けたことを特徴とする手乾燥装置。
【発明の詳細な説明】
【０００１】
【発明の属する技術分野】
本発明は、洗面所やトイレ等で手を洗った場合、濡れた手を乾燥させる手乾燥装置に関するものである。
【０００２】
【従来の技術】
従来、この種の手乾燥装置は特開平１０−９９２３５号公報に記載されたものが知られている。
以下、その手乾燥装置について図１７を参照しながら説明する。
図に示すように、壁面に固定された本体ケース１０１は、フロントケース１０２と下部に突設した水受け皿１０３で構成されている。乾燥空間１０２ａは、フロントケース１０２と水受け皿１０３との間に形成される。フロントケース１０２内には送風手段１０４、発熱手段１０５、および制御手段１０８が設けられている。また、フロントケース１０２の下端部には、送風吹出ノズル１０６が乾燥空間１０２ａに向けて設置されている。また、水受け皿１０３の背面側下部には、送風手段１０４に空気を吸い込むための空気吸込み口１１７が配置されている。水受け皿１０３は、水受けカップ１１４に連通する連通管１１３を有する。水受けカップ１１４は、水受け皿１０３の下方に配置され、前面側から水受け皿１０３に対して着脱可能に設けられている。また、水受けカップ１１４上面には水受けカップカバー１２１が設けられている。一方、空気吸込み口１１７にはフィルター枠１２２が設けられている。
上記構成において、濡れた手を乾燥空間１０２ａに挿入すると、送風手段１０４によって空気吸込み口１１７から吸気された空気は、発熱手段１０５を通過して温風となり、送風吹出ノズル１０６から吹出される。手についた水は、この送風吹出ノズル１０６から吹出される空気によって飛散され、手を乾燥させる。このとき、手から飛散した水滴は、水受け皿１０３に集まり、連通管１１３から水受けカップ１１４に集められる。
【０００３】
【発明が解決しようとする課題】
このような従来の手乾燥装置では、手から吹き飛ばされた水滴は水受けに受けられ、水受けカップ１１４に溜められるため壁や床などを汚すことはない。しかし、例えば手洗い場のシンク上部などの場所や、用途によって水受けを必要としない場合がある。また、狭い場所では水受け部が邪魔になったり、あるいは取り付けられない場合がある。また、水受けが汚れた場合、丸洗いをすることができないため、衛生上や美観上の問題もある。
従って、使用者が水受けを場所や用途によって自由に着脱して使用することができ、また、水受けが汚れた場合には水受けだけを取り外して丸洗いできることが要求される。  また、水受け係止の解除操作を、側面部の水受け外側あるいは側面部前面からおこなう場合には、側面の壁が操作の邪魔になり、指に力が入らないため操作性が悪く、また外観のデザインを損ねることになる。従って、水受け係止の解除操作は、壁面に影響されることなく容易に行えることができ、かつ、外観を損ねないことが要求される。
また、水受けを本体ケースから着脱可能とした場合には、水受けと本体ケースとの接続部が弱くなり、水受けの前後のガタツキが大きくなり、水受けが外れて脱落する可能性がある。
従って、水受けを本体ケースから着脱可能とする場合には、特に水受けの前後のガタツキを生じないことが要求される。
また、本体ケースに水受けを係止させただけで使用する場合には、子供が悪戯して水受けに荷重をかけたりすると、係止が外れて水受けが脱落する恐れがある。
従って、水受けに多少の荷重が加わった場合でも、水受けが外れて脱落する恐れがないことが要求される。
また、水受けカップ１１４を両側部で保持する場合には、左右のレールが離れ過ぎているため、同時に左右のレールにはめることは難しく作業性が悪い。
従って、コストや組立工数をかけずに水受けカップの着脱性を向上させることが要求される。
また、手乾燥装置本体ケースの取り付け位置がコンセントに近く、電源コードが余った場合、電源コードが邪魔になったり、取り付けた場所の景観を損ねてしまう。
従って、余った電源コードが使用上邪魔にならず景観を損ねないように処理できることが要求される。
また、使用時に吹き飛ばされた水が吸込み口から吸い込まれたり、あるいは結露によって本体ケース内に水が浸入した場合、水が内部に溜まり、漏電や腐食を引き起こし電装部に悪影響を与えてしまう。
従って、仮に本体ケース内に水が浸入した場合でも内部に溜まることなく排出でき、電装部に悪影響を与えないだけでなく、排出された水を床にこぼさないようにすることが要求される。
また、サービス性や施工性を考慮してフロントケース１０２を開閉自在とした場合には、リード線が邪魔になるためＬＥＤ表示部をフロントケース側ではなく本体ケース側に設けなければならない。しかし、フロントケース１０２開閉時にフロントケースや手がＬＥＤに当たるなどしてＬＥＤの脚が倒れると、表示穴とＬＥＤの位置があわなくなる。
従って、少ない部品点数と組立工数で、フロントケース１０２を開閉しても表示穴とＬＥＤの位置がずれることなく合せられることが要求される。
【０００４】
本発明は、このような従来の課題を解決するものであり、使用者が水受けを場所や用途によって自由に着脱して使用でき、水受けが汚れた場合などは水受けだけを取り外して丸洗いできる手乾燥装置を提供することを目的とする。  また本発明は、壁面に影響されることなく容易に水受けを着脱することができ、かつ、外観を損ねることのない手乾燥装置を提供することを目的とする。
また本発明は、本体ケースと水受けの接続を強化することにより、水受けの前後のガタツキがない、商品性の高い手乾燥装置を提供することを目的とする。
また本発明は、水受けが外れて脱落する恐れをなくすことにより安全性の高い手乾燥装置を提供することを目的とする。
また本発明は、コストや組立工数をかけずに水受けカップの着脱性を向上させた手乾燥装置を提供することを目的とする。
また本発明は、余った電源コードが使用上邪魔にならず景観を損ねないように処理できる手乾燥装置を提供することを目的とする。
また本発明は、本体ケース内に水が浸入した場合でも内部に溜まることなく排出することにより、電装部に悪影響を与えないだけでなく、排出された水が床にこぼれない手乾燥装置を提供することを目的とする。
また本発明は、少ないコストと組立工数で、フロントケースを開閉しても表示穴とＬＥＤの位置がずれることがない手乾燥装置を提供することを目的とする。
【０００５】
【課題を解決するための手段】
請求項１記載の本発明の手乾燥装置は、内部に送風手段を、下面に吹出ノズルを有する本体ケースと、前記本体ケースの下方に配設され、前記本体ケースとの間に手挿入空間を形成する水受けとを備え、前記本体ケースを設置した状態で、前記水受けを前記本体ケースと着脱自在とした手乾燥装置であって、前記水受けを、下部前面を覆う受け部と、前記受け部と連接して壁面側を覆う背面部と、前記受け部と連接して前記背面部の両側から立ち上がりを形成する一対の側面部とから構成し、それぞれの前記側面部の上部に水受け側係止部をそれぞれ設け、前記本体ケースの両側部にそれぞれ本体ケース側係止部をそれぞれ設け、前記水受け側係止部と前記本体ケース側係止部とによって前記水受けを前記本体ケースに取り付け、それぞれの前記水受けの側面部の内側面に設けられ、前記水受け側係止部と連接した凸部を有する係止解除手段の前記凸部押圧して、前記水受け側係止部と前記本体ケース側係止部との係止を解除させることを特徴とする。
請求項２記載の本発明は、請求項１に記載の手乾燥装置において、前記水受けを構成する一対の前記側面部の上部にそれぞれ水受け側接続部を設け、前記本体ケースの両側部にそれぞれ本体ケース側接続部を設け、前記水受け側接続部と前記本体ケース側接続部とによって、前記水受けを前記本体ケースに対して上下方向にスライド可能なガイダーを構成することを特徴とする。
請求項３記載の本発明は、請求項１に記載の手乾燥装置において、前記水受けを構成する前記背面部の上部中央に、前記本体ケースとの連結を行う水受け固定ねじを設けたことを特徴とする。
請求項４記載の本発明は、請求項１に記載の手乾燥装置において、前記水受けの下部に水受けカップを着脱可能に設けたことを特徴とする。
請求項５記載の本発明の手乾燥装置は、内部に送風手段を、下面に吹出ノズルを有する本体ケースと、前記本体ケースの下方に配設され、前記本体ケースとの間に手挿入空間を形成する水受けとを備え、前記本体ケースを設置した状態で、前記水受けを前記本体ケースと着脱自在とした手乾燥装置であって、前記水受けの下部に水受けカップを設け、前記水受けの裏底のほぼ中央に、前後方向に延びる逆Ｔ字型のレールを設け、前記水受けカップの上面に、後部から切り欠いたガイド溝を設けたことを特徴とする。
請求項６記載の本発明は、請求項１に記載の手乾燥装置において、前記送風手段に電気を供給する電源コードを収納する箱状収納部を、前記本体ケースの裏側に開口させて設けたことを特徴とする。
請求項７記載の本発明は、請求項１に記載の手乾燥装置において、前記本体ケースの下面に、前記送風手段の吸引によって前記手挿入空間の空気を吸い込む吸い込み口を設け、前記吸い込み口から前記送風手段に至る通風路に水抜き穴を設け、前記水抜き穴は前記水受けの上方に位置することを特徴とする。
請求項８記載の本発明の手乾燥装置は、内部に送風手段を、下面に吹出ノズルを有する本体ケースと、前記本体ケースの下方に配設され、前記本体ケースとの間に手挿入空間を形成する水受けとを備え、前記本体ケースを設置した状態で、前記水受けを前記本体ケースと着脱自在とした手乾燥装置であって、前記送風手段は表示基板を備えた送風ケースを有し、前記表示基板には発光ダイオードを設け、前記本体ケースには前記発光ダイオードを視認可能な表示穴を設け、前記発光ダイオードの周囲にはＬＥＤ保持部を設けたことを特徴とする。
【０００６】
【課題を解決するための手段】
請求項１記載の本発明の手乾燥装置は、内部に送風手段を、下面に吹出ノズルを有する本体ケースと、前記本体ケースの下方に配設され、前記本体ケースとの間に手挿入空間を形成する水受けとを備え、前記本体ケースを設置した状態で、前記水受けを前記本体ケースと着脱自在とした手乾燥装置であって、前記水受けを、下部前面を覆う受け部と、前記受け部と連接して壁面側を覆う背面部と、前記受け部と連接して前記背面部の両側から立ち上がりを形成する一対の側面部とから構成し、前記一対の側面部の上部に水受け側係止部をそれぞれ設け、前記本体ケースの両側部に本体ケース側係止部をそれぞれ設け、前記水受け側係止部と前記本体ケース側係止部とによって前記水受けを前記本体ケースに取り付け、それぞれの前記水受けの側面部の内側面に設けられ、前記水受け側係止部と連接した凸部を有する係止解除手段の前記凸部を押圧して、前記水受け側係止部と前記本体ケース側係止部との係止を解除させることを特徴とする。
請求項２記載の本発明は、請求項１に記載の手乾燥装置において、前記水受けを構成する一対の前記側面部の上部にそれぞれ水受け側接続部を設け、前記本体ケースの両側部にそれぞれ本体ケース側接続部を設け、前記水受け側接続部と前記本体ケース側接続部とによって、前記水受けを前記本体ケースに対して上下方向にスライド可能なガイダーを構成することを特徴とする。
請求項３記載の本発明は、請求項１に記載の手乾燥装置において、前記水受けを構成する前記背面部の上部中央に、前記本体ケースとの連結を行う水受け固定ねじを設けたことを特徴とする。
請求項４記載の本発明は、請求項１に記載の手乾燥装置において、前記水受けの下部に水受けカップを着脱可能に設けたことを特徴とする。
請求項５記載の本発明の手乾燥装置は、内部に送風手段を、下面に吹出ノズルを有する本体ケースと、前記本体ケースの下方に配設され、前記本体ケースとの間に手挿入空間を形成する水受けとを備え、前記本体ケースを設置した状態で、前記水受けを前記本体ケースと着脱自在とした手乾燥装置であって、前記水受けの下部に水受けカップを設け、前記水受けの裏底のほぼ中央に、前後方向に延びる逆Ｔ字型のレールを設け、前記水受けカップの上面に、後部から切り欠いたガイド溝を設けたことを特徴とする。
請求項６記載の本発明の手乾燥装置は、内部に送風手段を、下面に吹出ノズルを有する本体ケースと、前記本体ケースの下方に配設され、前記本体ケースとの間に手挿入空間を形成する水受けとを備え、前記本体ケースを設置した状態で、前記水受けを前記本体ケースと着脱自在とした手乾燥装置であって、前記送風手段に電気を供給する電源コードを収納する箱状収納部を、前記本体ケースの裏側に開口させて設けたことを特徴とする。
請求項７記載の本発明の手乾燥装置は、内部に送風手段を、下面に吹出ノズルを有する本体ケースと、前記本体ケースの下方に配設され、前記本体ケースとの間に手挿入空間を形成する水受けとを備え、前記本体ケースを設置した状態で、前記水受けを前記本体ケースと着脱自在とした手乾燥装置であって、前記本体ケースの下面に、前記送風手段の吸引によって前記手挿入空間の空気を吸い込む吸込み口を設け、前記吸込口から前記送風手段に至る通風路に水抜き穴を設け、前記水抜き穴は前記水受けの上方に位置することを特徴とする。
請求項８記載の本発明の手乾燥装置は、内部に送風手段を、下面に吹出ノズルを有する本体ケースと、前記本体ケースの下方に配設され、前記本体ケースとの間に手挿入空間を形成する水受けとを備え、前記本体ケースを設置した状態で、前記水受けを前記本体ケースと着脱自在とした手乾燥装置であって、前記送風手段は表示基板を備えた送風ケースを有し、前記表示基板には発光ダイオードを設け、前記本体ケースには前記発光ダイオードを視認可能な表示穴を設け、前記発光ダイオードの周囲にはＬＥＤ保持部を設けたことを特徴とする。
【０００７】
【実施例】
以下、本発明の実施例について図面を参照しながら説明する。
図１は本発明の一実施例による手乾燥装置の側断面図、図２は同手乾燥装置の斜視図、図３は水受けを本体ケースから分離した状態を示す同手乾燥装置の斜視図、図４は水受けを本体ケースから分離する操作状態を示す同手乾燥装置の斜視図、図５は水受け側接続部と本体ケース側接続部を示す同手乾燥装置の要部斜視図、図６は係止解除手段を示す同手乾燥装置の要部正面断面図、図７は水受け固定ねじを示す同手乾燥装置の要部側断面図、図８は水受け固定ねじを示す同手乾燥装置の要部側断面図である。
図１〜図３、図５、および図６に示すように、本体ケース１は、前面と天面と両側面とを覆うフロントケース２Ａと、壁面側を覆うリアケース２Ｂとによって外装を形成している。リアケース２Ｂの壁面側には、第１のリア金具２Ｃと第２のリア金具２Ｄとが設けられている。第１のリア金具２Ｃは、掛け金具１６に係合する舌片を備えている。この掛け金具１６は、ねじなどによって壁面に固定される。第２のリア金具２Ｄは、ねじなどによって壁面に固定可能な構成となっている。
本体ケース１の内部には、送風手段３と、この送風手段３と連通し送風空気を吹き出す吹出しノズル４と、電装部品を制御する制御手段５を設けている。送風手段３は、送風空気を発生させるブロアモーター３Ａと送風ケース３Ｂからなる。送風手段３と吹出しノズル４とは、パッキン６によりシールされ接続されている。吹出しノズル４内の風路には送風空気を温風にする発熱手段７を設けている。本体ケース１の下面には、吹出しノズル４の吹出口と、送風空気を本体ケース１内部に取り込む吸込み口８と、この吸込み口８から吸い込まれる送風空気のほこりを除去するフィルター９と、赤外線により手を検知する手検知センサー１０を設けている。送風ケース３Ｂには、動作状態をＬＥＤ（発光ダイオード）１１により表示する表示基板１２と、電装部品に電気を供給する端子台１３が設けられている。
また、フロントケース２Ａは、天面後端に設けたケース爪１４によってリアケース２Ｂと係合している。フロントケース２Ａは、このケース爪１４によってリアケース２Ｂと着脱自在に設けられている。フロントケース２Ａの前面には、ＬＥＤ１１の光を外に放出するための表示穴１５を設けている。
本体ケース１は、壁面に固定された掛け金具１６に第１のリア金具２Ｃを引っ掛けて固定される。
一方、本体ケース１の下方には、水受け１９によって、手を乾燥させる手挿入空間１８が形成される。水受け１９は、下部前面を覆う受け部１９Ａと、受け部１９Ａと連接して壁面側を覆う背面部１９Ｃと、受け部１９Ａと連接して背面部１９Ｃの両側から立ち上がりを形成する一対の側面部１９Ｂとから構成されている。一対の側面部１９Ｂは、手挿入空間１８を囲う形で設けられている。手から離散した水滴は、おもに受け部１９Ａによって受けられる。水受け１９の裏底面には、この水滴を溜める水受けカップ２０が設けられている。この水受けカップ２０の内部には、蓋状のカップカバー２１を設けている。
【０００８】
図５に示すように、それぞれの側面部１９Ｂの上部には、水受け側係止部２３Ａを備えている。また本体ケース１の下部には、本体ケース側係止部２３Ｂを備えている。そしてこの水受け側係止部２３Ａは、下方から上方への動作によって本体ケース側係止部２３Ｂと係止される構成となっている。  また、側面部１９Ｂの上部には、水受け側係止部２３Ａと本体ケース側係止部２３Ｂとの係止を解除する係止解除手段２４が設けられ、本体ケース１からの水受け１９の分離を可能としている。
【０００９】
図４〜図６に示すように、係止解除手段２４は、側面部１９Ｂの内側面に設けている。すなわち、係止解除手段２４は、水受け側係止部２３Ａと連接した凸部を有しており、この凸部を押圧することで水受け側係止部２３Ａを弾性変形させることができる。側面部１９Ｂの内側面には貫通孔を有しており、凸部はこの貫通孔に配置される。凸部が貫通孔から突出した状態では、水受け側係止部２３Ａは本体ケース側係止部２３Ｂと係止しており、凸部を貫通孔に押し込むことで水受け側係止部２３Ａと本体ケース側係止部２３Ｂとの係止は解除される。
【００１０】
また、図５および図６に示すように、水受け１９の側面部１９Ｂ上部に水受け側接続部２５が設けられ、本体ケース１の両側部にそれぞれ本体ケース側接続部２６が設けられている。そして、水受け側接続部２５と本体ケース側接続部２６とによって、水受け１９を本体ケース１に対して上下方向にスライド可能なガイダーを構成している。また、本体ケース１の壁面側の両側下部には、側面部１９Ｂの上端がはまり込むことができる切り欠きを有し、水受け側接続部２５が本体ケース１にオーバーラップするように、水受け側接続部２６に接続される。
【００１１】
図７および図８に示すように、リアケース２Ｂの裏側に設けた第２のリア金具２Ｄの下部には雌ねじ部２８を設けている。この雌ねじ部２８は、本体ケース１の設置位置よりも下方に位置し、背面部１９Ｃの上部に位置するように設けられている。また、第２のリア金具２Ｄには壁面と固定するねじ孔を備えている。このねじ孔についても、本体ケース１の設置位置よりも下方に位置し、背面部１９Ｃの上部に位置するように設けられている。  水受け１９の背面部１９Ｃの上部中央には、水受け固定ねじ２９が設けられている。水受け固定ねじ２９を取り付ける位置の背面部１９Ｃの背面には、水受け固定ねじ２９の締めすぎを防ぐための当たりリブ３０が設けられている。また、水受け固定ねじ２９が水受け１９から脱落しないように、水受け固定ねじ２９にはワッシャー３１が設けられている。従って、水受け固定ねじ２９を雌ねじ部２８に締め付けることで、水受け１９は本体ケース１に固定される。
【００１２】
以下に、本実施例による手乾燥装置の動作について説明する。  水受け１９の手挿入空間１８に手が挿入されると、手検知センサー１０が手の存在を検知し、制御手段５を介して送風手段３と発熱手段７が動作する。送風手段３の動作によって、送風空気はフィルター９を通じて吸込み口８より吸い込まれ、発熱手段７によって温風となり、口を絞った吹出しノズル４により高速温風を手挿入空間１８に送出する。
送出された高速温風は、手の表面に当たり、付着した水滴を離散しつつ乾燥する。この離散した水滴は水受け１９によって受け止められ、水受けカップ２０に集められる。この動作を繰り返すことによりフィルター９には外気中の塵やほこりが堆積し、水受けカップ２０には水が溜まる。
また、運転・停止・異常などの動作状態は表示基板１２のＬＥＤ１１により表示され、フロントケース２Ａの表示穴１５を介して外部から確認できる。
また、水受け１９を本体ケース１から外す場合は、係止解除手段２４を押すことにより、水受け側係止部２３Ａが本体ケース側係止部２３Ｂから外れ、水受け１９を本体ケース１から分離できる。逆に水受け１９を本体ケース１に取り付ける場合は、水受け１９を本体ケース１にセットすることにより水受け側係止部２３Ａが本体ケース側係止部２３Ｂに引っ掛かり、本体ケース１に接続することができる。
【００１３】
このように、本体ケース１を設置した状態で、水受け１９を本体ケース１と着脱自在としたため、使用者が場所や用途によって自由に水受け１９を着脱して使用することができ、水受け１９が汚れた場合には水受け１９だけを取り外して丸洗いすることができる。  また、水受け１９を本体ケース１から分離する際、係止解除手段２４が水受け１９の側面部１９Ｂの内側面にあるため、両手で左右の側面部１９Ｂをつかみ、力の入れやすい親指で係止解除手段２４を押すことができる。従って、操作を容易にすることができ、係止部解除手段２４によって外観を損ねることがない。
水受け１９を本体ケース１に取り付ける際、水受け側接続部２５を本体水受け側接続部２６に差し込んで固定する。この時、水受け側接続部２５と本体ケース側接続部２６とによって、水受け１９を本体ケース１に対して上下方向にスライド可能なガイダーを構成する。従って、ガイダーの保持によって水受け１９の前後のガタツキをなくすことができる。
【００１４】
図７および図８に示すように、水受け側係止部２３Ａと本体ケース側係止部２３Ｂとにより水受け１９を本体ケース１に装着した後、水受け固定ねじ２９を雌ねじ部２８にねじ込むと、水受け１９が水受け固定ねじ２９と雌ねじ部２８との間に挟まれて固定される。また、逆に水受け１９を取り外す場合は、まず、水受け固定ねじ２９を緩めて雌ねじ部２８から外した後、係止解除手段２４を押すことにより水受け側係止部２３Ａが本体ケース側係止部２３Ｂから外れ、本体ケース１から分離できる。この時、水受け固定ねじ２９を緩めると水受け固定ねじ２９が前方向に出てくるとともに落下防止ワッシャー３１自身も水受け固定ねじ２９の先端方向に押し出されるが、当たりリブ３０により水受け１９を浮かしているため、ワッシャー３１が脱落することはない。
【００１５】
次に、図９と図１０を用いて水受けと水受けカップとの着脱構成について説明する。  図９は水受けと水受けカップとを示す同手乾燥装置の要部正面断面図、図１０は水受けと水受けカップとを示す同手乾燥装置の底面図である。
図９および図１０に示すように、水受け１９の裏底面のほぼ中央には、逆Ｔ字型のレール３２を前後方向に設けている。レール３２の両側部には横リブ３４が設けられている。また横リブ３４の手前側には、切り欠き部３６が形成されている。
一方、水受けカップ２０の上面のほぼ中央には、後部から切り欠いたガイド溝３３を設けている。このガイド溝３３は、レール３２の幅よりも広く形成され、レール３２はガイド溝３３内に位置することができる。ガイド溝３３の両側部は横リブ３４が摺動可能な構成となっている。また、ガイド溝３３の両側部の手前側には、切り欠き部３６と係合するカップ凸部３５が形成されている。
上記構成により、水受けカップ２０は、レール３２の両側部に形成された横リブ３４で懸架され、水受け１９に対して前後方向に摺動することができる。
水受けカップ２０を水受け１９に装着した状態では、カップ凸部３５がレール３２の切欠き部３６に収まる。また、水受け１９の左右に設けた水受け穴３７とカップカバー２１に設けられたカップカバー穴３８は、水受けカップ２０を水受け１９に装着した状態で、同一位置となるように設けられている。
【００１６】
上記構成により、吹出しノズル４からの高速温風により離散した水滴は水受け１９によって受け止められ、水受け穴３７からカップカバー穴３８を通って水受けカップ２０に集められる。  水受けカップ２０の装着は、前方向から水受け１９のレール３２に水受けカップ２０のガイド溝３３を差し込み、横リブ３４で水受けカップ２０を下から支える。また、水受け１９のレール３２に水受けカップ２０のガイド溝３３を差し込む際、カップ凸部３５が横リブ３４に乗り上げ、さらに差し込むと切欠き部３６にカップ凸部３５が嵌まり込むことにより適正な位置に固定できる。また、逆に水受けカップ２０を手前に引き出すとカップ凸部３５が横リブ３４に乗り上げ、さらに引き出すとカップ凸部３５が横リブ３４から外れ、水受けカップ２０を取り外すことができる。このように切欠き部３６にカップ凸部３５が嵌まり込んだり外れたりすることにより、水受けカップ２０着脱の際のクリック感が得られる。
【００１７】
次に、同手乾燥装置の電源コードの収納について説明する。  図１１は本体ケースの内部を示す同手乾燥装置の要部正面図、図１２は電源コードを箱状収納部へ収納した状態を示す同手乾燥装置の要部側断面図である。
図１１および図１２に示すように、コード引込み口３９を有する箱状収納部４０を本体ケース１後部から本体ケース１内に突出させて設けている。すなわち、箱状収納部４０は背面側を開口とした構成となっている。電源コード４２の一端側には先端に電源プラグ４１を備え、電源コード４２の他端側は、本体ケース１裏側からコード引込み口３９を通して本体ケース１内に引き込まれ、端子台１３に接続されている。また、電源コード４２は、コード引込み口３９の入り口付近のクリップＡ４３と本体ケース１裏側のクリップＢ４４により固定できるようになっている。
まず端子台１３に電源コード４２を接続するとともに電源コード４２を本体ケース１内部のクリップＡ４３で固定し、電源の供給できる場所までの必要な電源コード４２の長さを決め、クリップＢ４４により固定する。その後、余った電源コード４２を巻いて箱状収納部４０に収納し、第２のリア金具２Ｄを掛け金具１６に引っ掛けて本体ケース１を固定する。
【００１８】
次に、本体ケース内への水の進入防止構成について説明する。  図１３は本体ケース内に水が入り込んだときの水の流れを示す同手乾燥装置の側断面図である。
図１３に示すように、本体ケースを覆っている本体ケース１の最下部でかつ水受け１９の受け部１９Ａの真上に水抜き穴４５を設けている。
上記構成により、本体ケース１に水をかけられたり、手から離散した水滴が吸込み口８から吸い込まれたり、あるいは結露等によって本体ケース１内部に水が浸入した場合、本体ケース１の最下部に水抜き穴４５を設けているため、水は本体ケース１の最下部に向かって流れ、手検知センサー１０などの電装部品などを水没させることなく水抜き穴４５から外部へ排出される。また、外部へ排出された水は真下にある水受け１９の受け部１９Ａによって受け止められ、水受け穴３７からカップカバー穴３８を通って水受けカップ２０に溜めることができる。
【００１９】
次に、フロントケースを開閉しても表示穴とＬＥＤの位置がずれることがない構成について説明する。  図１４はフロントケースとＬＥＤの位置関係を示す同手乾燥装置の側断面図、図１５は同ＬＥＤ付近を示す部分詳細図、図１６（ａ）は同ＬＥＤ保持部がＬＥＤを保持するまでの状態を示す部分詳細図、図１６（ｂ）は同ＬＥＤ保持部とＬＥＤの脚の位置関係を示す部分詳細図である。
図１４〜図１６に示すように、本体ケース１は、裏面に設けたリアケース２Ｂと、本体ケース１の前面に着脱自在に設けたフロントケース２Ａからなる。フロントケース２Ａは、ケース爪１４を回動支点として開閉される。またフロントケース２Ａには表示穴１５を有している。送風ケース３Ｂの前面には表示基板１２を備えている。表示基板１２には、電源のオン・オフやモーターの故障を表示するためのＬＥＤ１１が取り付けられている。なお、表示穴１５は、フロントケース２Ａを本体ケース１に取り付けた際に、表示基板１２のＬＥＤ１１が視認できる位置に設けられている。
吹出しノズル４は、この送風ケース３Ｂに接続固定されている。
そして、吹出しノズル４の送風ケース３Ｂへの接続固定側には舌部４６を設けている。この舌部４６には円弧状のリブからなるＬＥＤ保持部４７を設けている。
また、ＬＥＤ１１は、その２本の脚１１Ａが縦方向に並ぶように設けている。ＬＥＤ保持部４７は、ＬＥＤ１１の脚１１Ａの並び方向に対して直角方向に配置されるノズル側保持部４７Ｃと、ＬＥＤ１１の脚１１Ａを挟むように配置される右側保持部４７Ｄと左側保持部４７Ｂとによって構成される。また、ＬＥＤ保持部４７は、ノズル側保持部４７Ｃと対向する側に開口４７Ａを形成している。
なお、本実施例ではＬＥＤを横方向に２個使用した例で説明したが、２個に限定されるものではないということは言うまでもない。
【００２０】
上記構成により、吹出しノズル４を送風ケース３Ｂに取り付ける際、表示基板１２を吹出しノズル４の舌部４６によって押さえることにより保持する。また、ＬＥＤ１１をＬＥＤ保持部４７でガイドすることによりＬＥＤ１１の頭部を表示基板１２に対して垂直方向に保持することができる。これにより、フロントケース２Ａを開閉することによるＬＥＤ１１とフロントケース２Ａの表示穴１５がずれることを防ぐことができる。
【００２１】
【発明の効果】
以上のように本発明によれば、使用者が水受けを場所や用途によって自由に着脱して使用でき、また、水受けが汚れた場合などは水受けだけを取り外して丸洗いできる。  また、使用者が水受けを取り外す際、水受けの両側面部を両手で持って取り外すが、側面部の内側面に係止部解除手段があるため、力の入れやすい親指で操作できるとともに、外観を損ねることなく係止部解除手段を設けることができる。
また、水受けを本体ケースに接続する際、水受け側接続部を本体水受け側接続部に添って嵌め込むため、ガイダーによって本体ケースと水受けの接続を強化することにより、水受けの前後のガタツキをなくすことができる。
また、水受けを本体ケースに取り付けた際、水受け固定ねじを雌ねじ部に締め付けると本体ケースと水受けが確実に固定でき、水受けの脱落を防ぐことができる。
また、この水受けカップのガイド溝を逆Ｔ字型のレールに差し込むと逆Ｔ字の横リブで水受けカップを下から支えるため、水受けカップを着脱自在に保持できる。
また、施工時、電源コード長さを決め、余った電源コードを箱状収納部に納めたのち本体ケースを壁に取り付けるため、余った電源コードが使用上の邪魔をせず、また景観も損ねない。
また、使用時、吹き飛ばされた水が吸込み口などから吸い込まれたり、あるいは結露によって本体ケース内に水が浸入した場合でも、水は全て本体ケース内の最下部に導かれ水抜き穴から水受けに滴下し水受けカップに溜められるため、水の浸入が原因による電装トラブルがなく、また床を濡らしたり汚さない。
また、施工時あるいはメンテナンス時にフロントケースを外して作業をする際、フロントケースや手がＬＥＤに当たるなどしてＬＥＤの脚が倒れやすいのを送風ケースに吹出しノズルを取付けると、吹出しノズルの舌部に設けたＬＥＤ保持部の開口側からＬＥＤ頭部をガイドしてＬＥＤ保持部に納められ、ＬＥＤの脚の並び方向に対して直角方向への倒れを防ぐことができるため、施工時あるいはメンテナンス時にフロントケースを外して作業をした際でも、ＬＥＤとフロントケースの表示穴の位置がずれない。
【図面の簡単な説明】
【図１】  本発明の一実施例による手乾燥装置の側断面図
【図２】  同手乾燥装置の斜視図
【図３】  水受けを本体ケースから分離した状態を示す同手乾燥装置の斜視図
【図４】  水受けを本体ケースから分離する操作状態を示す同手乾燥装置の斜視図
【図５】  水受け側接続部と本体ケース側接続部を示す同手乾燥装置の要部斜視図
【図６】  係止解除手段を示す同手乾燥装置の要部正面断面図
【図７】  水受け固定ねじを示す同手乾燥装置の要部側断面図
【図８】  水受け固定ねじを示す同手乾燥装置の要部側断面図
【図９】  水受けと水受けカップとを示す同手乾燥装置の要部正面断面図
【図１０】  水受けと水受けカップとを示す同手乾燥装置の底面図
【図１１】  本体ケースの内部を示す同手乾燥装置の要部正面図
【図１２】  電源コードを箱状収納部へ収納した状態を示す同手乾燥装置の要部側断面図
【図１３】  本体ケース内に水が入り込んだときの水の流れを示す同手乾燥装置の側断面図
【図１４】  フロントケースとＬＥＤ（発光ダイオード）の位置関係を示す同手乾燥装置の側断面図
【図１５】  同ＬＥＤ付近を示す部分詳細図
【図１６】  （ａ）は、同ＬＥＤ保持部がＬＥＤを保持するまでの状態を示す部分詳細図、（ｂ）は、同ＬＥＤ保持部とＬＥＤの脚の位置関係を示す部分詳細図
【図１７】  従来の手乾燥装置の側断面図
【符号の説明】
１  本体ケース
３  送風手段
４  吹出ノズル
１９  水受け
１９A  受け部
１９Ｂ  側面部
１９Ｃ  背面部
２３Ａ  本体ケース側係止部
２３Ｂ  本体ケース側係止部
【図１】
0003970762.tif 000002
【図２】
0003970762.tif 000003
【図３】
0003970762.tif 000004
【図４】
0003970762.tif 000005
【図５】
0003970762.tif 000006
【図６】
0003970762.tif 000007
【図７】
0003970762.tif 000008
【図８】
0003970762.tif 000009
【図９】
0003970762.tif 000010
【図１０】
0003970762.tif 000011
【図１１】
0003970762.tif 000012
【図１２】
0003970762.tif 000013
【図１３】
0003970762.tif 000014
【図１４】
0003970762.tif 000015
【図１５】
0003970762.tif 000016
【図１６】
0003970762.tif 000017
【図１７】
0003970762.tif 000018